(57)【要約】【課題】施工作業が容易であると共に、取扱性が良く、耐久性に優れる建築物の屋根材におけるアスベスト層の被覆構造を提供する。【解決手段】断面台形状に形成され、その内面にアスベスト層が形成されている建築物の屋根材１１の内側に配設されてアスベスト層１３を被覆するように構成されている。すなわち、屋根材１１の内側には、断面台形状に形成され両側底部に沿って側方へ延びる支持片１５を有し、端部が構造躯体に支持される支持梁１４が配設される。該支持梁１４の頂板２０上には、係止プレート２１が回動可能に支持されている。そして、支持梁１４が屋根材１１の内側に配置された状態で回動させて屋根材１１の内面に当接させ、支持梁１４の上動を抑えるようになっている。さらに、支持梁１４の対向する支持片１５上には剛性を有する被覆用天井板１７が載置され、アスベスト層１３を被覆するように構成されている。【選択図】図１
2009191457.tif 000002
【特許請求の範囲】
【請求項１】
断面波状に形成されて上部ほど縮幅し、その内面にアスベスト層が形成されている建築物の屋根材の内側に配設されてアスベスト層を被覆するアスベスト層の被覆構造であって、
断面台形状に形成され両側底部に沿って側方へ延びる支持片を有し、端部が構造躯体に支持される支持梁を備え、該支持梁の頂板上には回動可能に支持され前記支持梁が屋根材の内側に配置された状態で回動させて屋根材の内面に当接させて支持梁の上動を抑えるための係止プレートを設けると共に、各支持梁の対向する支持片上には剛性を有する被覆用天井板を載置してアスベスト層を被覆するように構成したことを特徴とする建築物の屋根材におけるアスベスト層の被覆構造。
【請求項２】
前記係止プレートにはその中央位置に挿通孔が設けられると共に、支持梁の頂板の中央位置には貫通孔が設けられ、係止プレートの挿通孔と頂板の貫通孔に回動軸を挿通して支持し、係止プレートを回動可能に構成したことを特徴とする請求項１に記載の建築物の屋根材におけるアスベスト層の被覆構造。
【請求項３】
前記係止プレートは、支持梁の両端部に一対設けられていることを特徴とする請求項２に記載の建築物の屋根材におけるアスベスト層の被覆構造。
【請求項４】
前記支持梁の両支持片の端縁には上方へ延びる支承片が突出形成され、各支持梁の支承片上に被覆用天井板が載置されていることを特徴とする請求項１から請求項３のいずれか１項に記載の建築物の屋根材におけるアスベスト層の被覆構造。
【請求項５】
前記支承片は、支持片の端縁から斜め外方へ傾斜するように構成されていることを特徴とする請求項４に記載の建築物の屋根材におけるアスベスト層の被覆構造。
【発明の詳細な説明】
【技術分野】
【０００１】
本発明は、例えば工場の建物の天井を構成する屋根材の内面に被覆されているアスベスト層を被覆するための建築物の屋根材におけるアスベスト層の被覆構造に関するものである。
【背景技術】
【０００２】
一般に、建築物の屋根材、梁材、柱材などの構造材には、従来より断熱性を高めるためにアスベストが吹き付けられてきた。例えば、断面台形状又は断面三角形状が繰り返えされて凹凸状に形成された屋根材には、その内面（屋内面）にアスベストが吹き付け塗装され、固化されて付着されている。しかしながら、このアスベストが屋根材の内面に露出されていると、アスベストの粉塵が飛散し、人がその粉塵を吸い込んで健康に悪影響を受けることから、建築物の屋根材の内面に露出されているアスベスト層を被覆する構造が提案されている。
【０００３】
そのようなアスベスト層を被覆する構造として具体的には、次のような構造が知られている（例えば、特許文献１を参照）。すなわち、建築物の壁、屋根又は天井の構築面に吹き付けられたアスベスト面に、押え部材間に張設されたプラスチックシートを接着剤を介して貼り付け、アスベスト層を被覆するアスベストの飛散防止装置である。この装置によれば、建築物に吹き付けたアスベストを強制的に剥離、解体することなくアスベストを長期的に封じ込め、アスベスト粉塵が屋内外に飛散することを防止することができる。
【特許文献１】実用新案登録第３１２０８７４号公報（第２頁及び第３頁）
【発明の開示】
【発明が解決しようとする課題】
【０００４】
ところが、前記特許文献１に記載されているアスベスト層の飛散防止装置では、プラスチックシートを押え部材間に張設した後、接着剤で接着する必要があり、プラスチックシートの施工作業が面倒で、作業時間を要するという問題があった。しかも、プラスチックシートは強度が不足するため破れやすく、取扱性が悪い上に、耐久性に乏しく、災害時などには損傷を受けやすいという問題があった。
【０００５】
本発明は、このような従来技術に存在する問題点に着目してなされたものであり、その目的とするところは、施工作業が容易であると共に、取扱性が良く、耐久性に優れる建築物の屋根材におけるアスベスト層の被覆構造を提供することにある。
【課題を解決するための手段】
【０００６】
上記の目的を達成するために、請求項１に係る建築物の屋根材におけるアスベスト層の被覆構造は、断面波状に形成されて上部ほど縮幅し、その内面にアスベスト層が形成されている建築物の屋根材の内側に配設されてアスベスト層を被覆するものである。そして、断面台形状に形成され両側底部に沿って側方へ延びる支持片を有し、端部が構造躯体に支持される支持梁を備え、該支持梁の頂板上には回動可能に支持され前記支持梁が屋根材の内側に配置された状態で回動させて屋根材の内面に当接させて支持梁の上動を抑えるための係止プレートを設けると共に、各支持梁の対向する支持片上には剛性を有する被覆用天井板を載置してアスベスト層を被覆するように構成したことを特徴とする。
【０００７】
請求項２に係る建築物の屋根材におけるアスベスト層の被覆構造は、請求項１に係る発明において、前記係止プレートにはその中央位置に挿通孔が設けられると共に、支持梁の頂板の中央位置には貫通孔が設けられ、係止プレートの挿通孔と頂板の貫通孔に回動軸を挿通して支持し、係止プレートを回動可能に構成したことを特徴とする。
【０００８】
請求項３に係る建築物の屋根材におけるアスベスト層の被覆構造は、請求項２に係る発明において、前記係止プレートは、支持梁の両端部に一対設けられていることを特徴とする。
【０００９】
請求項４に係る建築物の屋根材におけるアスベスト層の被覆構造は、請求項１から請求項３のいずれか一項に係る発明において、前記支持梁の両支持片の端縁には上方へ延びる支承片が突出形成され、各支持梁の支承片上に被覆用天井板が載置されていることを特徴とする。
【００１０】
請求項５に係る建築物の屋根材におけるアスベスト層の被覆構造は、請求項４に係る発明において、前記支承片は、支持片の端縁から斜め外方へ傾斜するように構成されていることを特徴とする。
【発明の効果】
【００１１】
本発明によれば、次のような効果を発揮することができる。
請求項１に係る建築物の屋根材におけるアスベスト層の被覆構造では、断面台形状に形成され、その両側底部に沿って側方へ延びる支持片を有し、端部が構造躯体に支持される支持梁を備えている。該支持梁の頂板上には回動可能に支持され前記支持梁が屋根材の内側に配置された状態で回動させて屋根材の内面に当接させて支持梁の上動を抑えるための係止プレートが設けられる。各支持梁の対向する支持片上には剛性を有する被覆用天井板が載置され、アスベスト層を被覆するように構成されている。このため、支持梁の端部を構造躯体に支持させ、係止プレートを回動させて屋根材の内面に当接させた後、各支持梁の対向する支持片上に被覆用天井板を載置することにより、アスベスト層を被覆することができる。従って、アスベスト層を被覆するための施工作業が容易であると共に、被覆用天井板は剛性を有しているため取扱性が良く、耐久性に優れている。
【００１２】
請求項２に係る発明では、前記係止プレートにはその中央位置に挿通孔が設けられると共に、支持梁の頂板の中央位置には貫通孔が設けられ、係止プレートの挿通孔と頂板の貫通孔に回動軸を挿通して支持し、係止プレートが回動可能に構成されている。このため、請求項１に係る発明の効果に加えて、簡単な構成で係止プレートの回動を容易に行うことができる。
【００１３】
請求項３に係る発明では、係止プレートが支持梁の両端部に一対設けられている。このため、請求項２に係る発明の効果に加えて、係止プレートの構成を簡易化してその機能を果たすことができる。
【００１４】
請求項４に係る発明では、支持梁の両支持片の端縁には上方へ延びる支承片が突出形成され、各支持梁の支承片上に被覆用天井板が載置されている。従って、請求項１から請求項３のいずれかに係る発明の効果に加え、例えば地震の際には被覆用天井板の端部が支承片及び支持片に受け止められるため、被覆用天井板の落下を防止することができる。
【００１５】
請求項５に係る発明では、前記支承片は支持片の端縁から斜め外方へ傾斜するように構成されている。このため、請求項４に係る発明の効果に加えて、地震などの際に被覆用天井板が傾斜する支承片に係合しやすくなり、被覆用天井板の落下を一層抑制することができる。
【発明を実施するための最良の形態】
【００１６】
以下、本発明の最良と思われる実施形態を図面に基づいて詳細に説明する。
図１に示すように、建築物の屋根材１１は、鋼材により断面台形状（及び断面逆台形状）に形成された台形部材１２が連なって波状に形成され、上部ほど縮幅するように構成されている。該屋根材１１は一定幅で一体成形され、それらの連結部分は重ね合せて例えばボルト及びナットで連結される。この屋根材１１の形状としては種々の形状が採用され、断面台形状のほか断面三角形状、断面円弧状等が連なって断面波状に形成されている。係る屋根材１１の内面には、全面に渡ってアスベストが吹き付けられて固着され、アスベスト層１３が形成されている。
【００１７】
屋根材１１の内方には、厚さ０．６〜１．２ｍｍの薄板鋼材により断面台形状に形成された支持梁１４が配設されている。支持梁１４の両側底部には、支持片１５が側方へ例えば５０ｍｍ延びるように突出形成されると共に、該支持片１５の端縁には支承片１６が斜め外方へ傾斜するように例えば１０ｍｍ延出されている。支承片１６の支持片１５の延びる方向に対する傾斜角度αは、約１５°に設定されている。この支承片１６の傾斜角度αは特に制限されないが、主として支承片１６と屋根材１１の下端部との間隔を狭くして後述する被覆用天井板１７の落下を防止する観点から、１０〜２０°程度であることが好ましい。なお、断面台形状をなす支持梁１４の内側の空間部１８には、蛍光灯等の照明器具が配設されるようになっている。
【００１８】
支持梁１４は、図４に示すように、その両端部においてＨ型鋼（横Ｈ型に配置）よりなる構造躯体１９に支持されている。この実施形態では、支持梁１４は屋根材１１の台形部材１２の２つおきに配設されている。
【００１９】
該支持梁１４の頂板２０上には、例えば厚さ１ｍｍの鋼板製の係止プレート２１が回動可能に軸支されている。すなわち、図１及び図２に示すように、係止プレート２１にはその中央位置に挿通孔２２が透設されると共に、支持梁１４の頂板２０の中央位置には貫通孔２３が透設されている。そして、係止プレート２１の挿通孔２２と頂板２０の貫通孔２３に回動軸２４が挿通されてかしめ着けられ、係止プレート２１が回動可能に構成されている。この係止プレート２１は、支持梁１４が屋根材１１の内側に配置された状態で回動させることにより、係止プレート２１の両端部が屋根材１１の内面に当接して支持梁１４の上動を抑えるようになっている。該係止プレート２１は、支持梁１４の両端部に一対設けられている。
【００２０】
図３に示すように、前記対向する支持梁１４の各支承片１６上には、例えば厚さ２５ｍｍ、長さ１８００ｍｍ及び幅８００ｍｍのグラスウール製パネル（板状体）よりなる被覆用天井板１７が載置（架設）され、屋根材１１内面のアスベスト層１３を被覆するように構成されている。この被覆用天井板１７は、剛性を有し、その形状保持性と耐久性の向上が図られると共に、断熱性を有し、冷暖房効果の向上が図られている。なお、支承片１６と被覆用天井板１７との間を粘着テープなどで接着し、固定しておくことが好ましい。
【００２１】
図３及び図５に示すように、前記対向する支持梁１４の各支承片１６上には、断面逆Ｔ字状をなし、両側方に延長形成された載置板２５を供えたジョイナー２６が架設されている。該ジョイナー２６の両載置板２５上には、それぞれ被覆用天井板１７の端部が載置されるようになっている。なお、載置板２５と被覆用天井板１７との間は、図示しない粘着テープによって接着されている。図３に示すように、該ジョイナー２６は、支持梁１４の両端部に一対設けられている。
【００２２】
次に、本実施形態における建築物の屋根材１１におけるアスベスト層１３の被覆構造について、その作用を説明する。
図４に示すように、まず支持梁１４の両端部を屋根材１１の台形部材１２の下方に位置するようにして、構造躯体１９上に載せて支持する。図３に示すように、この操作を屋根材１１の台形部材１２の２つおきに行う。
【００２３】
続いて、図２に示すように、支持梁１４の係止プレート２１を回動軸２４を中心にして係止プレート２１の延びる方向と直交するまで回動させ（図２の二点鎖線の位置を経て実線の位置まで回動）、図１に示すように、その両端部を屋根材１１の内面に当接させる。このとき、係止プレート２１の両端部はアスベスト層１３に接触するが、係止プレート２１をさらに回動させることによってその両端部がアスベスト層１３内に入り込み、屋根材１１の内面に到達する。このような操作を支持梁１４の両端部の係止プレート２１について行うことにより、支持梁１４を構造躯体１９と屋根材１１との間に位置決め固定することができる。
【００２４】
その後、図３に示すように、対向する支持梁１４の支承片１６間に被覆用天井板１７を載せる。このようにして、多数の支持梁１４と、支持梁１４間に支持される被覆用天井板１７により、屋根材１１内面に形成されているアスベスト層１３の被覆を簡単に行うことができる。この場合、被覆用天井板１７の端部は支持梁１４の傾斜壁２７外面にほぼ当接していると共に、支持梁１４の支持片１５端縁には支承片１６を延出形成したことから、支承片１６の先端縁と屋根材１１の下端縁との間隔Ｄが狭められ、被覆用天井板１７の端部が常に支持梁１４の支持片１５及び支承片１６に支持される。このため、地震などによって予期しない振動が被覆用天井板１７に加えられたときでも、被覆用天井板１７が落下するおそれはない。
【００２５】
以上の実施形態によって発揮される作用及び効果を以下にまとめて記載する。
・  この実施形態の建築物の屋根材１１におけるアスベスト層１３の被覆構造では、断面台形状に形成され、その両側底部に沿って側方へ延びる支持片１５を有し、端部が構造躯体１９に支持される支持梁１４を備えている。該支持梁１４の頂板２０上には係止プレート２１が回動可能に支持され、支持梁１４が屋根材１１の内側に配置された状態で回動させて屋根材１１の内面に当接させ、支持梁１４の上動を抑えるように構成されている。支持梁１４の対向する支持片１５上には剛性を有する被覆用天井板１７が載置され、アスベスト層１３を被覆するように構成されている。
【００２６】
このため、支持梁１４を構造躯体１９に支持させ、係止プレート２１の端部を屋根材１１の内面に当接させた後、支持梁１４の対向する支持片１５上に被覆用天井板１７を載置するという操作により、アスベスト層１３を簡単に被覆することができる。従って、アスベスト層１３を被覆するための施工作業が容易であると共に、被覆用天井板１７は剛性を有しているため取扱性が良く、耐久性に優れている。
【００２７】
・  前記係止プレート２１にはその中央位置に挿通孔２２が設けられると共に、支持梁１４の頂板２０の中央位置には貫通孔２３が設けられ、係止プレート２１の挿通孔２２と頂板２０の貫通孔２３に回動軸２４を挿通して支持し、係止プレート２１が回動可能に構成されている。このため、簡単な構成で係止プレート２１の回動を容易に行うことができる。
【００２８】
・  係止プレート２１は支持梁１４の両端部に一対設けられている。このため、係止プレート２１の構成を簡易化してその機能を果たすことができる。
・  支持梁１４の両支持片１５の端縁には上方へ延びる支承片１６が突出形成され、各支持梁１４の支承片１６上に被覆用天井板１７が載置されている。従って、例えば地震の際には被覆用天井板１７の端部が支承片１６及び支持片１５に受け止められるため、被覆用天井板１７の落下を防止することができる。
【００２９】
・  前記支承片１６は支持片１５の端縁から斜め外方へ傾斜するように構成されている。このため、地震などの際に被覆用天井板１７が傾斜する支承片１６に係合しやすくなり、被覆用天井板１７の落下を一層抑制することができる。
【００３０】
なお、前記各実施形態を次のように変更して具体化することも可能である。
・  前記支持梁１４における支持片１５の端縁に設けられた支承片１６を省略することもできる。この場合には、被覆用天井板１７を支持片１５上に載せて支持することができる。
【００３１】
・  前記実施形態では、支持梁１４を屋根材１１の台形部材１２について２つおきに配置したが、１つおき、３つおきなど被覆用天井板１７の幅などに応じて適宜の位置に配置することができ、或いは全ての台形部材１２について配置することもできる。
【００３２】
・  前記係止プレート２１を１本の支持梁１４に対して３箇所以上、適宜の箇所に設けることもできる。
・  前記係止プレート２１の回動軸２４を、ボルトにナットを螺合させて構成したりすることも可能である。
【００３３】
・  前記係止プレート２１の両端部を先端側ほど薄くなるようにテーパ状に形成し、係止プレート２１の両端部がアスベスト層１３内に入り込みやすくすることもできる。
・  前記ジョイナー２６の載置板２５と被覆用天井板１７との間をリベットやねじによって連結することもできる。
【００３４】
・  被覆用天井板１７として、ロックウールパネル、カーボン繊維のパネル、合成樹脂の発泡体よりなるパネル等を使用することもできる。
次に、前記実施形態より把握できる技術的思想について以下に記載する。
【００３５】
・  前記各支持梁の対向する支持片間には、断面逆Ｔ字状をなすジョイナーを架設し、その両側方に延長形成された載置板上に被覆用天井板の端部を載置するように構成したことを特徴とする請求項１から請求項５のいずれか一項に記載の建築物の屋根材におけるアスベスト層の被覆構造。このように構成した場合、請求項１から請求項５のいずれかに係る発明の効果に加えて、被覆用天井板が短い場合でもジョイナーによって被覆用天井板を連結して使用することができる。
【００３６】
・  前記係止プレートは、支持梁に対して複数箇所に設けられていることを特徴とする請求項１又は請求項２に記載の建築物の屋根材におけるアスベスト層の被覆構造。このように構成した場合、請求項１又は請求項２に係る発明の効果に加えて、支持梁の固定をより強固にすることができる。
【図面の簡単な説明】
【００３７】
【図１】実施形態における建築物の屋根材におけるアスベスト層の被覆構造を示す断面図。
【図２】係止プレートの構造及び作用を説明するための斜視図。
【図３】屋根材に対して支持梁及び被覆用天井板を配設した状態を示す斜視図。
【図４】支持梁及び被覆用天井板をＨ型鋼よりなる構造躯体に支持した状態を示す断面図。
【図５】被覆用天井板をジョイナーで連結した状態を示す断面図。
【符号の説明】
【００３８】
１１…屋根材、１３…アスベスト層、１４…支持梁、１５…支持片、１６…支承片、１７…被覆用天井板、１９…構造躯体、２０…頂板、２１…係止プレート、２２…挿通孔、２３…貫通孔、２４…回動軸。
【図１】
2009191457.tif 000003
【図２】
2009191457.tif 000004
【図３】
2009191457.tif 000005
【図４】
2009191457.tif 000006
【図５】
2009191457.tif 000007